(57)【特許請求の範囲】
【請求項１】
竿体の竿軸線方向に沿ってスライド移動自在な可動フードをシートベースに取り付け、前記可動フード内にリールの先端足部を保持する脚押さえ体を設け、前記脚押さえ体が円周方向にズレ動くのを抑制する脚押さえ体姿勢規制機構を設け、
前記シートベースにおけるリール脚載置面とは竿軸心を挟んで反対側に、竿軸線に平行な係合用凹部を形成するとともに、前記可動フードに前記係合用凹部に係合する係合部を設け、前記係合部と前記係合用凹部との係合状態によって、前記可動フードを、左右方向への動きを規制し竿軸線に沿ってスライド移動自在に構成する可動フード姿勢規制機構を設け、
前記脚押さえ体姿勢規制機構における前記脚押さえ体の左右横方向への許容移動量を前記可動フード姿勢規制機構における前記可動フードの左右横方向への許容移動量より小さく設定してあるリールシート。
【請求項２】
前記脚押さえ体に係合突部を形成し、前記シートベースに前記係合突部を係入する係合用ガイド凹部を形成し、前記係合突部と前記係合用ガイド凹部とで、前記可動フードとともに前記脚押さえ体を竿軸線方向に沿って案内するとともに前記脚押さえ体の周方向へのズレ動きを抑制するように、前記脚押さえ体姿勢規制機構を構成してある請求項１記載のリールシート。
【請求項３】
前記脚押さえ体の左右両端部に当接部を形成し、前記左右の当接部を前記シートベースに当接させることによって、脚押さえ体姿勢規制機構を構成する請求項１又は２記載のリールシート。
【発明の詳細な説明】
【技術分野】
【０００１】
本発明は、可動フードを備えているリールシートに関する。
【背景技術】
【０００２】
可動フードとしての遊動フード（公報内番号：４）は、シートベースとしての筒状本体（公報内番号：１）に外嵌される円筒状のフード本体部と、そのフード本体部の一部においてリール脚を保持するリール脚挿入用保持部とを一体で構成してある。
そして、リール脚挿入用保持部には、脚押さえ体としての柔軟部材からなるスペーサ（公報内番号：１０）が装着されている。このスペーサの表面には、突起としての係止突起（公報内番号：８）が形成され、フード本体部に形成した凹溝（公報内番号：９）に嵌入させて、スペーサをフード本体部に装着している（特許文献１）。
【先行技術文献】
【特許文献】
【０００３】
【特許文献１】実登第２５１２６６１号公報（段落〔０００９〕，図１，図４）
【発明の概要】
【発明が解決しようとする課題】
【０００４】
しかし、スペーサは係止突起を介してフード本体部に装着されているが、フード本体部自体が型成形によって製作されたものであるために、シートベースにフード本体部が外嵌された状態で、フード本体部とシートベースとの間に間隙が形成されるために、フード本体部が周方向にガタツキ易い構成となっていた。
そうすると、スペーサでリール脚の先側足部を押さえ保持する構成を採っていても、遊動フードをナット部材としての緊締筒（公報内番号：５）を回転させて、竿軸線方向に沿ってスライド移動させる際に遊動フードがガタツキを生じ、釣り人の感触が不満足なものとなり、リールシートとしての品質の低下を招来していた。
しかも、フード本体部に装着されているスペーサも、そのスペーサに形成した係止突起をフード本体部に係入して装着されているだけであるので、スペーサ自体もフード本体部に対してガタツキ易い構成となっており、更に、改善の余地があった。
【０００５】
本発明の目的は、脚押さえ体の周方向でのガタツキを抑制することによって、可動フードのズレ動きを抑制して、品質の向上を図ることのできるリールシートを提供する点にある。
【課題を解決するための手段】
【０００６】
〔構成〕
請求項１に係る発明の特徴構成は、竿体の竿軸線方向に沿ってスライド移動自在な可動フードをシートベースに取り付け、前記可動フード内にリールの先端足部を保持する脚押さえ体を設け、前記脚押さえ体が円周方向にズレ動くのを抑制する姿勢規制機構を設けて、
前記シートベースにおけるリール脚載置面とは竿軸心を挟んで反対側に、竿軸線に平行な係合用凹部を形成するとともに、前記可動フードに前記係合用凹部に係合する係合部を設け、前記係合部と前記係合用凹部との係合状態によって、前記可動フードを、左右方向への動きを規制し竿軸線に沿ってスライド移動自在に構成する可動フード姿勢規制機構を設け、
前記脚押さえ体姿勢規制機構における前記脚押さえ体の左右横方向への許容移動量を前記可動フード姿勢規制機構における前記可動フードの左右横方向への許容移動量より小さく設定してある点にあり、その作用効果は次の通りである。
【０００７】
〔作用効果〕
姿勢規制機構を、シートベースと脚押さえ体とに亘って設けたので、脚押さえ体の周方向でのズレ動き（ガタツキ）が抑制され、この脚押さえ体を装着している可動フードも周方向へのズレ動きが抑制される。
このように、脚押さえ体のシートベースに対する周方向での姿勢が規制されて安定したものとなるので、リール脚の先側足部を保持する位置が、シートベースに形成されているリール載置面に対して位置ズレし難くなり、リール脚のセンタリング機能が向上する。
係合部と係合用凹部との係合状態によって、可動ガイドを竿軸線に平行な方向に移動させる構成としてあるが、係合部と係合用凹部との係合状態に、可動フードの周方向へのガタツキを抑制する機能までを付加する必要がないので、係合部と係合用凹部とに大きな機構の変更を加える必要がない。
【０００８】
〔構成〕
請求項２に係る発明の特徴構成は、前記脚押さえ体に係合突部を形成し、前記シートベースに前記係合突部を係入する係合用ガイド凹部を形成し、前記係合突部と前記係合用ガイド凹部とで、前記可動フードとともに前記脚押さえ体を竿軸線方向に沿って案内するとともに前記脚押さえ体の周方向へのズレ動きを抑制するように、前記姿勢規制機構を構成してある点にあり、その作用効果は次の通りである。
【０００９】
〔作用効果〕
リール脚を押さえ保持するものとして脚押さえ体を可動フード内に設け、この脚押さえ体にシートベースの係合用ガイド凹部に係合する係合突部を形成して姿勢規制機構を構成し、可動フードの周方向へのガタツキを抑制している。
このように、リール脚を押さえ保持するものとして導入された脚押さえ体を姿勢規制機構に兼用することによって、可動フード自体にガタツキを抑制する機構を設ける必要はなく、可動フード自体は製造方法等を変更する必要はない。
しかも、脚押さえ体を姿勢規制機構に兼用することによって専用の機構を採用する必要がなく、機器構成の簡素化を図ることができる。
【００１０】
〔構成〕
請求項３に係る発明の特徴構成は、前記脚押さえ体の左右両端部に当接部を形成し、前記左右の当接部を前記シートベースに当接させることによって、脚押さえ体姿勢規制機構を構成する点にあり、その作用効果は次の通りである。
【００１１】
〔作用効果〕
係合部と係合用凹部との係合状態によって、可動ガイドを竿軸線に平行な方向に移動させる構成としてあるが、係合部と係合用凹部との係合状態に、可動フードの周方向へのガタツキを抑制する機能までを付加する必要がないので、係合部と係合用凹部とに大きな機構の変更を加える必要がない。
【図面の簡単な説明】
【００１２】
【図１】釣り竿を示す全体側面図である。
【図２】グリップ被覆体と可動フードをシートベースに取り付ける前の状態を示す分解斜視図である。
【図３】シートベースに可動フードを取り付ける前の状態を示す分解斜視図である。
【図４】シートベースに可動フード、グリップ被覆体を装着した状態を示す斜視図である。
【図５】グリップ被覆体と可動フードをシートベースに取り付ける前の状態を示す分解側面図である。
【図６】（ａ）シートベースに可動フード、グリップ被覆体を装着したリールシートを示す平面図、（ｂ）シートベースに可動フード、グリップ被覆体を装着したリールシートを示す側面図である。
【図７】グリップ被覆体と可動フードをシートベースに取り付ける前の状態を示す分解縦断側面図である。
【図８】シートベースに可動フード、グリップ被覆体を装着したリールシートを示す縦断側面図である。
【図９】図８におけるＩＸ−ＩＸ線断面図である。
【図１０】シートベースのリール脚の元側足部を載置する元側載置面とは１８０°反対側の表面に、可動フードとの干渉を回避する為の凹入部を形成した状態を示す縦断側面図である。
【図１１】シートベースとして、ゴムグリップや可動フード、ナット部材等が異なる仕様となるものに、本願発明を適用した別実施構造を示す縦断側面図である。
【発明を実施するための形態】
【００１３】
〔第１実施形態〕
本発明を釣り竿Ａに適用する形態について説明する。
釣り竿Ａは、図１〜４に示すように、握り部を備えた竿体としての元竿１に、スピンニングリール１０を取り付ける筒状リールシートＢを装着し、筒状リールシートＢのシートベース２に可動フードＤを取り付けて構成してある。
【００１４】
シートベース２には、可動フードＤと協働でスピニングリール１０のリール脚１０Ａの先端において竿先側に屈曲形成されている先側足部１０ａを保持する固定フード３が一体形成されており、固定フード３の形成部位より竿元側に可動フードＤを螺着する雄ねじ部４が設けてある。
図４，８，９に示すように、可動フードＤには、リール脚１０Ａの先端において竿元側に屈曲形成されている元側足部（先端足部の一例）１０ａを保持するフード本体５と、フード本体５内に装着されている合成樹脂製の脚押さえ体８と、フード本体５を竿軸線Ｘ方向に螺進移動させるナット体７とが装備されている。
脚押さえ体８としては、合成樹脂以外にニトリルゴム等のゴムを材料として採用してもよい。
【００１５】
シートベース２について説明する。
図５に示すように、シートベース２は、ポリエステル、ＡＢＳ、ＰＥＴ等のエンジニアリング樹脂を使用した筒状体である。前記したように、竿先半部に外向きに盛り上がっている固定フード３を形成してあり、固定フード３のフード内部に入り込む状態で先側載置面２Ａを形成してある。この先側載置面２Ａでリール脚１０Ａの先端において竿先側に屈曲形成されている先側足部１０ａを載置支持すべく構成してある。
先側載置面２Ａの竿元側に、位置決め用の環状鍔２Ｃが設けてあり、環状鍔２Ｃの更に竿元側に、可動フードＤ内に入り込む元側載置面２Ｂを形成してある。元側載置面２Ｂでリール脚１０Ａの先端において竿元側に屈曲形成されている元側足部１０ａを載置支持すべく構成してある。
【００１６】
環状鍔２Ｃは、図２及び図５に示すように、元側載置面２Ｂの両横側方に幾分張り出した状態から略シートベース２の周面に沿って周回する状態で巡らされている。環状鍔２Ｃより竿先側には、環状鍔２Ｃから竿先側に向けて、後記するグリップ被覆体としてのゴムグリップ６の取付座２Ｄを形成してある。取付座２Ｄは、環状鍔２Ｃより一段凹入する面に形成してあり、図４及び図６に示すように、ゴムグリップ６をこの取付座２Ｄに装着した際に、ゴムグリップ６の外周面と環状鍔２Ｃの外周縁とを面一状態に設定して、高さを揃えるように形成してある。
【００１７】
図２及び図５に示すように、固定フード３は、取付座２Ｄより一段突出する状態に外面３Ａが形成してあり、固定フード３の外面３Ａも、ゴムグリップ６を取付座２Ｄに装着した状態で、そのゴムグリップ６の外面と面一状態となるように構成してある。
取付座２Ｄにおける固定フード３の存在側とは反対側の面と固定フード３の横側方側の面には、シートベース２の軸線方向に沿った突条２ａが形成してあり、この突条２ａが取付座２Ｄに装着したゴムグリップ６の内周面に形成した後記する長溝６ｅに係合して、ゴムグリップ６の捲れ上がりを抑制する構成を採っている。
【００１８】
先側載置面２Ａと元側載置面２Ｂとの間にも、一段凹入する面としての繋ぎ部分２ｃが形成してあり、取付座２Ｄの他の部分と段差の無い状態に連なっており、先側載置面２Ａと元側載置面２Ｂとの間の繋ぎ部分２ｃも取付座２Ｄの一部を形成する。後記するゴムグリップ６を取付座２Ｄに装着した状態で、ゴムグリップ６の外面と、先側載置面２Ａ及び元側載置面２Ｂとが面一状態となるように構成してある。
【００１９】
シートベース２におけるリール脚１０Ａの先側足部１０ａと元側足部１０ａを載置する部位について詳述する。図２及び図４〜図８に示すように、先側載置面（リール脚載置面の一例）２Ａは断面形状としては前記したように、円弧状を呈する形状を採っているが、図６に示すように平面視では、竿元側に向う程、徐々に、左右方向での横幅を狭める形状を呈している。
一方、元側載置面２Ｂは略一定の広い横幅を呈し、竿元側端部において左右方向での横幅を狭める形状を呈している。図６に示すように、先側載置面２Ａと元側載置面２Ｂとの間でゴムグリップ６の取付座２Ｄの一部を形成する繋ぎ部分２ｃにおいては、先側載置面２Ａの竿元側端の横幅Ｌ１と元側載置面２Ｂの竿先側端の横幅Ｌ２とに連続的に繋がるような横幅を呈している。
【００２０】
先側載置面２Ａの両横側方には、皿状の左右の先側傾斜凹入面２ｅを形成してあり、この皿状の左右の先側傾斜凹入面２ｅは、竿軸芯方向に向けて僅かに凹入する形状に形成してあり、かつ、左右の先側傾斜凹入面２ｅにおける先側載置面２Ａ（図２において上方側に位置する）側に位置する端部ほど左右の間隔を狭める上向きの傾斜状態に形成してある。元側載置面２Ｂの両横側方にも、同じように、上向きの元側傾斜凹入面２ｆを形成してあり、更に、取付座２Ｄにおいて繋ぎ部分２ｃ以外の周面部分は、取付座２Ｄの一部を構成する円弧状面２ｇに形成してある。円弧状面２ｇは、取付座２Ｄの一部を構成する部分であるので、竿先側に位置する斜め上向き先側傾斜凹入面２ｅと竿元側に位置する斜め上向きの元側傾斜凹入面２ｆよりも、ゴムグリップ６の厚みに相当するだけの深さで凹入形成されている。
【００２１】
次に、ゴムグリップ６について説明する。図２及び図４〜図８に示すように、ゴムグリップ６は、ＮＢＲ等のゴムを材料とした筒状体であり、取付座２Ｄに装着した状態で固定フード３をゴムグリップ６より突出させるように、楕円状の抜き孔６Ａが形成してある。
【００２２】
ゴムグリップ６における抜き孔６Ａより竿先側の部分６Ｃは、竿先側の開口部６ｂに近接する程小径化する緩円錐筒状に形成してある。一方、ゴムグリップ６の竿元側にも筒状の竿元側の部分６Ｄが形成してあり、竿元側の部分６Ｄには円弧状を呈する載置面部６ｃと、その載置面部６ｃの両横側方側に竿軸芯方向に向けて凹入する状態で、かつ、載置面部６ｃ側に位置する端部ほど互いの左右間隔を狭めるように上向き傾斜状態にある皿状の左右の中間傾斜凹入面部６ｄが形成してある。
中間傾斜凹入面部６ｄによって、ゴムグリップ６を所定位置に装着した際に、シートベース２に形成された斜め上向き傾斜凹入面２ｅとゴムグリップ６の斜め上向き傾斜面６ｄとが段差無く繋がることとなっている。
【００２３】
図５〜図８に示すように、抜き孔６Ａの存在側とは１８０°反対側には、他の部分よりやや外方に膨出する膨出部６Ｂが設けてあり、この膨出部６Ｂに宛がわれる手指が滑り難いように、表面加工が施してある。つまり、表面の滑りを抑制するために、細かい凹凸を形成する梨地加工が施してある。
この膨出部６Ｂの内周面には、抜き孔６Ａの存在側とは１８０°反対側及び左右の両側面の３箇所に、竿軸線Ｘ方向に沿った細幅の長溝６ｅが形成してある。ゴムグリップ６をシートベース２に装着した際に、シートベース２に突出形成した突条２ａに細幅の長溝６ｅが外嵌係合して、ゴムグリップ６の位置決めを行うとともにゴムグリップ６の捲れ上がりを抑制する構成を採っている。
【００２４】
以上のような構成になるゴムグリップ６を、図４に示すように、竿元側開口６ａから取付座２Ｄに外嵌装着すると、ゴムグリップ６の外面が固定フード３の外面３Ａと面一状態に、かつ、竿元側開口６ａを囲む外縁が環状鍔２Ｃに当接し、ゴムグリップ６の外面が環状鍔２Ｃの外面と面一状態に連なる。
【００２５】
図４及び図６に示すように、ゴムグリップ６を取付座２Ｄに装着した状態で、先側載置面２Ａと、元側載置面２Ｂと、ゴムグリップ６における載置面部６ｃとを、竿軸線Ｘに沿った方向で連続する足部載置面に形成する。図６（ａ）に示すように、足部載置面の横幅を、竿軸線Ｘに沿った方向で中間に位置する部分の横幅ほど絞り込んで狭くなるように形成してある。
【００２６】
先側載置面２Ａ、元側載置面２Ｂの両横側方に位置する部分を円弧面に形成するのではなく、前記した先側傾斜凹入面２ｅとして皿状に僅かに凹入する上向きの傾斜面に形成してある。このことによって、その両側方に対応する部分の外径を小さくでき、かつ、足部載置面の竿軸線に沿った方向で中間に位置する部分の横幅ほど絞り込んで狭くなるように形成したので、シートベース２に取付られたリール脚１０Ａの先側足部１０ａ、及び、元側足部１０ａをそのシートベース２とともに握り込む際に握り易い。
しかも、後記するように、ゴムグリップ６を円弧状面２ｇに装着した際に、ゴムグリップ６に形成した中間傾斜凹入面部６ｄが、竿先側に位置する斜め上向きの先側傾斜凹入面２ｅと段差なく連続する状態となる。これによって、手指や掌を圧迫することが少なく、仕掛けの打ち込みや魚の釣り上げ操作を行う場合に、手が痛くならず負担も少ない。
【００２７】
可動フードＤについて詳述する。図２〜図９に示すように、可動フードＤは、前記したように、アルミニュウムやチタン等の軽量金属製のフード本体５と、そのフード本体５のリール脚挿入用保持部５ａに内装されるゴム製または合成樹脂製の脚押さえ体８とを装備している。
脚押さえ体８は、リール本体５におけるリール脚挿入用保持部５ａに内装されるように、略円弧状を呈するものであり、竿先側端に鍔部８ｂを突出させるとともに、上面の左右中央部に上向きに突出する突起８ｃを設け、この突起８ｃをフード本体５の天井部分に形成した抜き孔５ｄ内に嵌合させて、脚押さえ体８の位置決めを行っている。
【００２８】
フード本体５は、図９に示すように、断面形状として、シートベース２に外嵌する略４分の３円弧状を呈する部分とアーチ状を呈するリール脚挿入用保持部５ａとを一体形成した縦長い楕円状を呈するものであり、成形型で一体形成される。
【００２９】
次に、脚押さえ体姿勢規制機構Ｃを設けて、脚押さえ体８の周方向へのガタ付きを抑制し、リール脚１０Ａの位置決め（センターリング）を良好にできる機構を構成することとした。ここでは、まず、フード本体５と脚押さえ体８との取り付け構造について説明し、その後、脚押さえ体姿勢規制機構Ｃについて説明する。
つまり、図９に示すように、フード本体５における略４分の３円弧状を呈する部分とアーチ状を呈するリール脚挿入用保持部５ａとの接続部位近傍には、上向き段差部５ｅが設けてある。
一方、脚押さえ体８には、左右の両下端部近傍の外面に下向き段差部８ｇが形成してある。脚押さえ体８をフード本体５のリール脚挿入用保持部５ａ内に挿入した際に、脚押さえ体８の下向き段差部８ｇがフード本体５の上向き段差部５ｅに上方から当接して、脚押さえ体８が装着支持される。
【００３０】
脚押さえ体姿勢規制機構Ｃについて説明する。図６及び図９に示すように、姿勢規制機構Ｃは、シートベース２に形成された係合用ガイド凹部としての第１ガイド溝４ａと、脚押さえ体８の内周面に突設された係合突部としての誘導突条８Ｂとで構成される。第１ガイド溝４ａは、雄ねじ部４から元側載置面２Ｂの後半部に亘る範囲で凹入形成された細溝である。一方、誘導突条８Ｂは、次のように形成される。
【００３１】
脚押さえ体８は、竿先端に鍔部８ｂを形成し、その鍔部８ｂの竿元側に断面がアーチ状を呈する略一定の肉厚の本体部８Ａを形成してある。本体部８Ａの内周面には足保持部８ａが形成されており、足保持部８ａの奥側から竿元側端に向って足受止部８ｄが形成されている。足保持部８ａは、元側足部１０ａの甲部分に当接作用して押し付け保持するアーチ状を呈している。一方、足受止部８ｄは、元側足部１０ａの元側端を受け止めるべく構成してある。つまり、足受止部８ｄの竿先側面に、竿軸芯に向かう縦向き面８ｆを形成し、その縦向き面８ｆで足保持部８ａに挿入された元側足部１０ａの竿元側端を当接規制して、元側足部１０ａの竿軸線方向での位置決めをすべく構成してある。
【００３２】
足受止部８ｄにおける竿軸芯方向に向う内向き面に、誘導突条８Ｂを突出形成してある。誘導突条８Ｂは、リールシート２に形成した第１ガイド溝４ａに係合すべく第１ガイド溝４ａの横幅よりやや細い横幅を備えている。第１ガイド溝４ａに係合した状態で、可動フードＤと一体で第１ガイド溝４ａに沿って移動するものとなる。このような構成によって、脚押さえ体８の周方向へのガタツキを抑え、可動フードＤの位置決めを行い得るので、可動フードＤによるリール脚１０Ａの元側足部１０ａの位置決め（センタリング）を良好に行い得る。
【００３３】
脚押さえ体８の左右両下端部における段差部８ｇの近傍に当接部８ｈを設け、この当接部８ｈを元側傾斜凹入面２ｆに当接させる構成としてある。
以上のような構成によって、脚押さえ体８は、誘導突条８Ｂを第１ガイド溝４ａに係合させるとともに、左右の下端部の当接部８ｈをシートベース２の元側傾斜凹入面２ｆに当接させることによって３点支持状態を確立し、周方向へのガタツキを抑制する脚押さえ体姿勢規制機構Ｃを構成する。
【００３４】
次に、可動フード姿勢規制機構について説明する。図３及び図７〜図９に示すように、可動フードＤのリール脚挿入用保持部５ａとは１８０°反対側には、竿軸芯方向に向けて内向きに突出する係合部としての係合突起５ｎが設けてある。シートベース２の雄ねじ部４に係合用凹部としての第２ガイド溝４ｂが形成してある。この第２ガイド溝４ｂに係合突起５ｎを係合させることによって、可動フードＤをナット体７の回転によって、シートベース２の軸線方向に沿ってスライド移動可能に構成してある。
【００３５】
係合突起５ｎと第２ガイド溝４ｂとの係合状態は、第２ガイド溝４ｂの溝幅を係合突起５ｎの横幅よりも大きく採ってある。
前記した誘導突条８Ｂと第１ガイド溝４ａとの関係に比べて係合突起５ｎが第２ガイド溝４ｂに係合した状態でも、多少、左右横方向に動き得る余裕を持った構成となっている。
このような構成を採っているのは、係合突起５ｎと第２ガイド溝４ｂとの係合状態を、誘導突条８Ｂと第１ガイド溝４ａとの係合状態と同様に左右横方向への動きを抑制したものにすると、可動フードＤ自体の竿軸線Ｘ方向に沿った動きが円滑さを欠くものとなり、操作がし辛くなるからである。
【００３６】
フード本体５の竿元側半部の構成について説明する。
図２〜図６に示すように、可動フードＤのフード本体５は、リール脚１０Ａを保持する
リール脚挿入用保持部５ａから竿元側に向けて外径が細くなる中間縮径部５ｊを形成して
あり、中間縮径部５ｊより竿元側に中間縮径部５ｊの外径より大径の受止部５ｋを形成してある。
【００３７】
以上のような構成により、リール脚１０Ａと筒状リールシートＢとを共握りして釣り動作を行う場合に、手の掌がゴムグリップ６の膨出部６Ｂに掛って竿先側への移動が抑制される状態にあり、小指が可動フードＤの中間縮径部５ｊに掛って受止部５ｋによって竿元側への移動が抑制されており、握りの状態が安定する構成となっている。
【００３８】
図２〜図６に示すように、ゴムグリップ６を受け止める環状鍔２Ｃは、元側載置面２Ｂを除く全周面に亘って巡らされており、元側載置面２Ｂ存在側とは１８０°反対側に至る程、竿元側に偏位するように形成されている。このような構成によって、環状鍔２Ｃに当接して位置決めされるゴムグリップ６の竿元側端は、元側載置面２Ｂ存在側とは１８０°反対側において、竿元側に入り込んで位置することとなる。つまり、図５及び図６に示すように、環状鍔２Ｃの竿先端側において想定した基準線Ｙよりも、ゴムグリップ６の竿元側端は、竿元側に延出されている。
【００３９】
しかも、可動フードＤにおいても、図５及び図７に示すように、フード本体５の竿先側端５Ｃの開口縁の側面視形状は、リール脚挿入保持部５ａを形成する上半部５ｆとシートベース２に外嵌される下半部５ｐとの中間位置に対応する部分が、最も竿先側に突出する形状に形成してある。下半部５ｐでは、環状鍔２Ｃに沿うように、リール脚挿入保持部５ａの存在側とは１８０°反対側に至る程、フード本体５の竿先側端５Ｃの開口縁の側面視形状が竿元側に偏位する状態に形成されている。
【００４０】
したがって、環状鍔２Ｃと可動フードＤとが共にリール脚載置側とは１８０°反対側の面において竿元側に偏位した形状を呈するので、前記した基準線Ｙよりも竿元側において、ゴムグリップ６が竿元側に入り込んで露出する状態にある。
このような構成によって、リール脚１０Ａをシートベース２と共に握った手指における親指部分がゴムグリップ６に当てがわれることとなって、圧迫感を感じることが少ない。
【００４１】
なお、図１及び図４に示すように、可動フードＤは、環状鍔２Ｃに当接することによって、固定フード３の存在側への移動が規制されている。つまり、可動フードＤのリール脚挿入用保持部５ａに装着された脚押さえ体８の左右両側端が、環状鍔２Ｃの上端に当接するとともに、フード本体５の竿先側端５Ｃも環状鍔２Ｃに当接して、固定フード３側への移動が規制される。
このような構成によって、可動フードＤの外周面と環状鍔２Ｃとゴムグリップ６の外周面とが略面一状態に連なることとなり、その部分を握る手に圧迫感を与えることが少ない。
【００４２】
図３、図５及び図７に示すように、シートベース２における元側載置面２Ｂ存在側とは竿軸芯Ｘを挟んで反対側には、竿軸芯Ｘに向って凹入する凹入部２ｄを形成してある。
凹入部２ｄは、第２ガイド溝４ｂの竿先端と環状鍔２Ｃとの間において、円周方向での横幅が略３０°位に亘る範囲に凹入形成されている。尚、凹入部２ｄとしては、可動フードＤとの干渉を回避する範囲で、円周方向での横幅を３０°〜９０°に至る範囲で採っても良い。
【００４３】
このような凹入部２ｄを設けた理由は次のようなものである。
つまり、リール脚１０Ａを保持すべく、可動フードＤがナット体７とともに移動すると、脚押さえ体８がリール脚１０Ａの元側足部１０ａの甲部分に形成された傾斜面１０ｂに乗り上る状態になるので、可動フードＤは、リール脚１０Ａの元側足部１０ａによって持ち上げられたような状態となり、シートベース２に対して偏芯した状態となる。
【００４４】
そうすると、可動フードＤのフード本体５における固定フード３側に向う開口縁において、リール脚挿入用保持部５ａとは反対側の端縁がシートベース２の外周面に食い込むような状態になる。
【００４５】
シートベース２の表面には、ウレタン樹脂塗料やエポキシ樹脂塗料等の適宜塗料が選択されて、刷毛や吹き付けによって塗装されている。
そうすると、前記反対側の端縁がシートベース２の外周面に食い込むような状態になると、塗装面が剥がれる等の不具合が起こり得る。
そこで、前記したように凹入部２ｄを形成してあるので、可動フードＤの反対側端縁がシートベース２の外周面に食い込むことが抑制されて、塗料が剥がれる等の不具合を抑制することができる。
【００４６】
〔第１実施形態における別実施形態〕
係合突起５ｎと第２ガイド溝４ｂとの組み合わせ構成は、姿勢規制機構Ｃが係合突起５ｎと第２ガイド溝４ｂとの組み合わせが発揮する機能と同様の機能を発揮できるならば、省略してもよい。
【００４７】
〔第２実施形態〕
第１実施形態の内、シートベース２に環状鍔２Ｃを形成していない実施形態のものを第２実施形態とする。したがって、環状鍔２Ｃの存在しない部分はシートベース２の他の外周面と面一状態となる。
【００４８】
〔第３実施形態〕
第１実施形態の内、シートベース２にゴムグリップ６を装着していない実施形態のものを第３実施形態とする。従って、シートベース２に形成したゴムグリップ６を装着する為の取付座２Ｄはなく、シートベース２の外面は固定ガイド３の外面と面一状態で形成される。
【００４９】
〔第４実施形態〕
第１実施形態の内、シートベース２に可動フードＤとの干渉を回避する為の凹入部２ｄを設けない実施形態のものを第４実施形態とする。凹入部２ｄを形成しない部分は、シートベース２における外周面の他の部分と面一状態に形成する。
【００５０】
〔第５実施形態〕
第１実施形態の内、シートベース２には先側傾斜凹入面２ｅと元側傾斜凹入面２ｆとを形成していない実施形態のものを第５実施形態とする。従って、シートベース２の先側載置面２Ａと元側載置面２Ｂの両横側方には、傾斜面ではなく、円弧面を形成してもよい。
【００５１】
〔第６実施形態〕
第１実施形態の内、ゴムグリップ６の膨出部６Ｂと可動フードＤの中間縮径部５ｊと受止部５ｋとを形成していない実施形態のものを第６実施形態とする。したがって、ゴムグリップ６では、膨出部６Ｂを形成せずに外周面を一定の外径を呈するものに形成し、可動フードＤにおいても中間縮径部５ｊと受止部５ｋに相当する部分を一定の外径を呈する部分に構成してもよい。
【００５２】
〔第７実施形態〕
次に、シートベース２と可動フードＤ、ナット体７とが第１実施形態のものとは異なる仕様のものを記述する。図１１に示すように、シートベース２を筒状でかつ外周面が滑らかに連続する曲面に形成し、竿先側に固定フード３を一体形成してある。シートベース２の竿元側部分には雄ねじ部４を刻設してあり、この雄ねじ部４にナット体７が螺合されており、このナット体７の竿先側に可動フードＤが連結されている。
【００５３】
可動フードＤには、脚押さえ体８が内装してあり、脚押さえ体８の本体部８Ａにリール脚１０Ａの元側足部１０ａを挿入して保持する脚保持部８ａを形成し、脚保持部８ａの竿元側に足受止部８ｄを立ち下げ（図面上で下向き）てある。足受止部８ｄの竿先側面は、足保持部８ａの奥端から内向きに突出された縦向き面に形成されており、その縦向き面で足保持部８ａに挿入された元側足部１０ａの竿元側端を当接規制して、元側足部１０ａの位置決めをすべく構成してある。
【００５４】
足受止部８ｄの内向き面には誘導突条８Ｂが突出形成してあり、誘導突条８Ｂはシートフード２の元側足部１０ａを載置支持する元側載置面２Ｂから雄ねじ部４に掛けて設けてある第１ガイド溝４ａに係合して、脚押さえ体８の周方向へのズレ動きを抑制すべく姿勢規制機構Ｃを構成する。
【００５５】
可動フードＤのフード本体５における脚押さえ体８を収納した部分とは、竿軸芯を挟んで１８０°反対側に内向き（図面上で上向き）の係合突起５ｎを設けてある。一方、シートベース２における係合突起５ｎに対向する面には、第２ガイド溝４ｂが形成してある。  この係合突起５ｎを第２ガイド溝４ｂに係合させて状態で、可動フードＤをナット体７の螺進移動によって竿軸線Ｘ方向に沿ってスライド移動可能に構成してある。
【産業上の利用可能性】
【００５６】
本願発明は、筒状リールシートＢを装備する磯竿、船竿等に適用することができる。
【符号の説明】
【００５７】
１ 竿体（元竿）
２            シートベース
２Ａ          先側載置面（リール脚載置面）
２Ｂ          元側載置面（リール脚載置面）
４ａ          第１ガイド溝（係合用ガイド凹部）
４ｂ          第２ガイド溝（係合用凹部）
５            フード本体
５ｎ          係合突起（係合部）
８            脚押さえ体
８Ｂ          誘導突条（係合突部）
１０Ａ        リール脚
１０ａ        元側足部（先端足部）
Ｃ            脚押さえ体姿勢規制機構
Ｄ            可動フード
Ｘ            竿軸線
【図１】
0005398065.tif 000002
【図２】
0005398065.tif 000003
【図３】
0005398065.tif 000004
【図４】
0005398065.tif 000005
【図５】
0005398065.tif 000006
【図６】
0005398065.tif 000007
【図７】
0005398065.tif 000008
【図８】
0005398065.tif 000009
【図９】
0005398065.tif 000010
【図１０】
0005398065.tif 000011
【図１１】
0005398065.tif 000012